(57)【要約】      （修正有）【課題】収納ケース同士を積み重ねて配置したり、配置角度を変えたりして、インテリアとして装飾的でお洒落な配置を楽しむことができる、組立式のマグカップの収納ケースを提供する。【解決手段】底板１５と右側板１６と天板１７と左側板１８とがそれぞれ折曲部を介して連設される第１板部材と、背面枠部３５の両側に右内側板と左内側板３１とがそれぞれ折曲部を介して連設される第２板部材とからなり、第１板部材と第２板部材とで組み立てて形成し、立方体状で正面側と背面側とに開口部を有する形状のマグカップの収納ケースであって、天板１７の上面及び底板１５の下面には、収納ケース同士を積み重ねたときに、回動可能に連結するための上面連結手段２５及び下面連結手段が設けられる。【選択図】図１０
0003187258.tif 000002
【実用新案登録請求の範囲】
【請求項１】
底板と右側板と天板と左側板とがそれぞれ折曲部を介して連設される第１板部材と、背面枠部の両側に右内側板と左内側板とがそれぞれ折曲部を介して連設される第２板部材とからなり、前記第１板部材と第２板部材とで組み立てて形成し、立方体状で正面側と背面側とに開口部を有する形状のマグカップの収納ケースであって、
前記天板の上面及び前記底板の下面には、収納ケース同士を積み重ねたときに、回動可能に連結するための上面連結手段及び下面連結手段が設けられていること
を特徴とするマグカップの収納ケース。
【請求項２】
前記上面連結手段は、複数箇所に形成された円形状の突部であり、
前記下面連結手段は、前記突部が嵌合し且つ回動可能なガイド溝であること
を特徴とする請求項１に記載のマグカップの収納ケース。
【請求項３】
前記上面連結手段は、円周状に形成された突条部であり、
前記下面連結手段は、前記突条部の内側に摺動自在に嵌合し且つ回動可能な曲条部であること
を特徴とする請求項１に記載のマグカップの収納ケース。
【請求項４】
少なくとも前記右側板、天板及び左側板の内側面には、複数の補強用リブが設けられていること
を特徴とする請求項１に記載のマグカップの収納ケース。
【考案の詳細な説明】
【技術分野】
【０００１】
本考案は、マグカップの収納ケースに関するものであり、更に詳しくは、収納ケース同士を積み重ねて配置したり、配置角度を変えたりして、インテリアとして装飾的でお洒落な配置を楽しむことができる、組立式のマグカップの収納ケースに関するものである。
【背景技術】
【０００２】
従来、マグカップは一般の家庭などで広く使われており、また、立方体状のいわゆるキューブマグカップや、様々な形状や模様が描かれたマグカップが知られている（例えば特許文献１、２、３、４参照）。
【０００３】
一方、これらのマグカップは、食器棚やサイドボードの中に収納されることが一般的であって、マグカップを一つひとつ収納するための専用の収納ケースはあまり知られていない。
【０００４】
なお、特開２００８−９４４７９号公報には、収納したコップの破損を防止することができて、コップの収納作業を簡単に行うことのできるコップ収納ケースの発明が開示されている（特許文献５参照）。
【先行技術文献】
【特許文献】
【０００５】
【特許文献１】特開２０１０−２５９４５４号公報
【特許文献２】特開２０１０−２８９８３０号公報
【特許文献３】意匠登録第１２２６９４０号公報
【特許文献４】意匠登録第１２２６４１２号公報
【特許文献５】特開２００８−９４４７９号公報
【考案の概要】
【考案が解決しようとする課題】
【０００６】
ところで、従来のように、マグカップを食器棚やサイドボードの中に収納しておくだけでは、マグカップやその収納を装飾的に美しく、楽しく装うことができない。つまり、マグカップを収納することに、なんら斬新さや目新しさが発現されないという欠点を有している。
【０００７】
従って、従来例における場合においては、マグカップの収納を装飾的に美しくかつ楽しく装う工夫を加味して、斬新さや目新しさ、あるいは意外性を発現することに解決しなければならない課題を有している。
【課題を解決するための手段】
【０００８】
前記従来例の課題を解決するための本考案の要旨は、底板と右側板と天板と左側板とがそれぞれ折曲部を介して連設される第１板部材と、背面枠部の両側に右内側板と左内側板とがそれぞれ折曲部を介して連設される第２板部材とからなり、前記第１板部材と第２板部材とで組み立てて形成し、立方体状で正面側と背面側とに開口部を有する形状のマグカップの収納ケースであって、前記天板の上面及び前記底板の下面には、収納ケース同士を積み重ねたときに、回動可能に連結するための上面連結手段及び下面連結手段が設けられていることである。
【０００９】
また、前記上面連結手段は、複数箇所に形成された円形状の突部であり、前記下面連結手段は、前記突部が嵌合し且つ回動可能なガイド溝であること、；
前記上面連結手段は、円周状に形成された突条部であり、前記下面連結手段は、前記突条部の内側に摺動自在に嵌合し且つ回動可能な曲条部であること、；
少なくとも前記右側板、天板及び左側板の内側面には、複数の補強用リブが設けられていること、；
を含むものである。
【考案の効果】
【００１０】
本考案に係るマグカップの収納ケースによれば、収納ケース同士を並列して配置したり、複数段に積み重ねて配置したり、あるいは配置角度を変えたりして、インテリアとして装飾的でお洒落な配置を楽しむことができる。さらにマグカップを収納することに斬新さや目新しさ、あるいは意外性を発現することができるという優れた効果を奏する。
【００１１】
上面連結手段は、複数箇所に形成された円形状の突部であり、下面連結手段は、突部が嵌合し且つ回動可能なガイド溝であることによって、収納ケース同士を積み重ねて設置して、突部をガイド溝に嵌合させることで、収納ケース同士を回動して設置角度を変えることができるという優れた効果を奏する。
【００１２】
上面連結手段は、円周状に形成された突条部であり、下面連結手段は、突条部の内側に摺動自在に嵌合し且つ回動可能な曲条部であることによって、収納ケース同士を積み重ねて設置して、突条部の内側に曲条部を摺動自在に嵌合させることで、収納ケースを回転して設置角度を変えることができるという優れた効果を奏する。
【００１３】
少なくとも右側板、天板及び左側板の内側面には、複数の補強用リブが設けられていることによって、強度が向上し、歪みや変形が防止できるという優れた効果を奏する。
【図面の簡単な説明】
【００１４】
【図１】本考案に係るマグカップの収納ケース１１の斜視図である。
【図２】本考案に係るマグカップの収納ケース１１の正面図である。
【図３】本考案に係るマグカップの収納ケース１１の背面図である。
【図４】本考案に係るマグカップの収納ケース１１の平面図である。
【図５】本考案に係るマグカップの収納ケース１１の底面図である。
【図６】本考案に係るマグカップの収納ケース１１の右側面図である。
【図７】マグカップの収納ケース１１の組立手順を説明する説明図である。
【図８】マグカップの収納ケース１１の組立手順を説明する説明図である。
【図９】マグカップの収納ケース１１の組立手順を説明する説明図である。
【図１０】マグカップの収納ケース１１の組立手順を説明する説明図である。
【図１１】マグカップの収納ケース１１の使用状態を示す斜視図である。
【図１２】マグカップの収納ケース１１の使用状態を示す斜視図である。
【図１３】マグカップの収納ケース１１の使用状態を示す斜視図である。
【図１４】マグカップの収納ケース１１の使用状態を示す斜視図である。
【図１５】マグカップの収納ケース１１の使用状態を示す斜視図である。
【図１６】マグカップの収納ケース１１の使用状態を示す斜視図である。
【図１７】突条部（上面連結手段）４３を示すマグカップの収納ケース４１の斜視図である。
【図１８】曲条部（下面連結手段）４７を示すマグカップの収納ケース４１の斜視図である。
【図１９】マグカップの収納ケース４１の使用状態を示す斜視図である。
【図２０】突条部（上面連結手段）４５を示すマグカップの収納ケース４１の斜視図である。
【考案を実施するための形態】
【００１５】
次に、本考案の実施の形態について図面を参照しながら説明する。まず、図１から図６において、符号１１はマグカップの収納ケースを示し、この収納ケース１１は、ポリプロピレン等の合成樹脂材で形成されており、立方体状で正面側に開口部１２を有し、背面側にも開口部２９を有する形状である。
【００１６】
また、収納ケース１１は、図７から図１０に示すように、第１板部材１３と第２板部材１４とからなり、後述するように、これらの２部材をそれぞれ折り曲げて、組み付けて形成される。
【００１７】
第１板部材１３は、図７及び図８に示すように、底板１５と右側板１６と天板１７と左側板１８とが、それぞれ折曲部１９、２０、２１を介して連設される。底板１５、右側板１６、天板１７、及び左側板１８には、背面側の縁部にそれぞれ立上り部１５ａ、１６ａ、１７ａ、１８ａが形成されている。
【００１８】
底板１５の内側面には、両側部側に細溝２２ａ、２２ｂ形成されており、また、背面側に細溝２２ｃが形成されている。
【００１９】
右側板１６、天板１７及び左側板１８の内側面には、複数の補強用リブ２３ａ、２３ｂ、２３ｃがそれぞれ設けられている。この補強用リブ２３ａ、２３ｂ、２３ｃの存在によって、強度が向上して歪みや変形が防止できる。
【００２０】
天板１７の一端側の縁部には、所定の間隔を開けて３箇所に係止片２４が設けられている。
【００２１】
天板１７の上面（外側面）には、図１及び図１０に示すように、４隅近傍にそれぞれ円形状の突部（上面連結手段）２５が形成されている。
【００２２】
底板１５の下面（外側面）には、図５に示すように、４隅近傍にそれぞれガイド溝（下面連結手段）２６が形成されている。ガイド溝２６は、３個の円の外周が折り重なって接続する形状に形成されており、ガイド溝２６内の一部には滑り止めのための斜線部２６ａが設けられている。
【００２３】
このような突部２５とガイド溝２６とは、それぞれ対応する位置に設けられており、収納ケース１１同士を積み重ねて設置したときに、下段の収納ケース１１の突部２５と、上段の収納ケース１１のガイド溝２６とが嵌合可能である。この場合、突部２５はガイド溝２６の長手方向に移動ができるので、収納ケース１１を回動して設置角度を変えることができることとなる（図１５及び図１６参照）。
【００２４】
また、底板１５の下面には、ガイド溝２６同士の間に、複数の補強用リブ２７が設けられている。更に、底板１５の左側板１８に沿った位置には、係止用突部２８が、所定の間隔を開けて３箇所に設けられている。この係止用突部２８は、前述の係止片２４を係止するための部位である（図５参照）。
【００２５】
第２板部材１４は、図７及び図８に示すように、四角形状の背面枠部３５を有し、この背面枠部３５の両側に右内側板３０及び左内側板３１がそれぞれ折曲部３２、３３を介して連設されている。
【００２６】
背面枠部３５の上下両端部には、図７又は図８に示すように、突片３５ａ、３５ｂが形成されている。また同様に、右内側板３０の上下両端部には、図７及び図８に示すように、突片３０ａ、３０ｂが形成されており、左内側板３１の上下両端部には、突片３１ａ、３１ｂが形成されている。
【００２７】
次に、マグカップの収納ケース１１の組立手順について説明する。まず、図８に示すように、第２板部材１４の折曲部３２、３３を折り曲げてコ字状に形成する。そして、背面枠部３５の突片３５ｂと、右内側板３０の突片３０ｂと、左内側板３１の突片３１ｂとを、それぞれ底板１５の細溝２２ｃ、２２ａ、２２ｂに挿入する（図９参照）。
【００２８】
そして、第１板部材１３の折曲部１９、２０、２１を順次折り曲げて、且つコ字状の第２板部材１４に組み付けて、天板１７の３箇所の係止片２４を底板１５の係止用突部２８に係止して、収納ケース１１が形成される（図１０、図１及び図５参照）。
【００２９】
このように形成されたマグカップの収納ケース１１は、図１１に示すように、単独で使用してマグカップ３４を収納しても良く、また、図１２に示すように、収納ケース１１同士を並列して配置し、複数段に積み重ねたりして自由自在に配置を楽しむこともできる。
【００３０】
また、図１３に示すように、上段と下段の収納ケース１１同士を９０度（あるいは１８０度）傾けて配置することが可能であり、また、図１５及び図１６に示すように、上段と下段の収納ケース１１同士を若干傾けて配置することも可能である。
【００３１】
以上のように構成されるマグカップの収納ケース１１は、収納ケース１１同士を並列して配置したり、複数段に積み重ねて配置したり、あるいは配置角度を変えたりして、インテリアとして装飾的でお洒落な配置を自由自在に楽しむことができる。さらにはマグカップ３４を収納することに斬新さや目新しさ、あるいは意外性を発現することができる。
【００３２】
次に、上面連結手段及び下面連結手段の他の実施例について説明する。図１７に示すように、マグカップの収納ケース４１の天板４２の上面（外側面）には、円周状の突条部（上面連結手段）４３が形成されている。この突条部４３には、所定の間隔を開けて段差部４４が設けられている。
【００３３】
円周状の突条部４３は、図２０に示すように、段差部４４を設けないタイプの突条部４５であっても構わない。
【００３４】
底板４６の下面（外側面）には、図１８に示すように、突条部４３の内側に摺動自在に嵌合し且つ回動可能な曲条部（下面連結手段）４７が形成されている。曲条部４７の内側には、補強用リブ４８が形成されている。
【００３５】
このような突条部４３（又は突条部４５）と曲条部４７とは、図１９に示すように、収納ケース４１同士を積み重ねて設置したときに、下段の収納ケース４１の突条部４３と、上段の収納ケース４１の曲条部４７とを嵌合させて、収納ケース４１を３６０度自在に回転させて設置角度を変えることができる。
【符号の説明】
【００３６】
１１  マグカップの収納ケース
１２  開口部
１３  第１板部材
１４  第２板部材
１５  底板
１５ａ  立上り部
１６  右側板
１６ａ  立上り部
１７  天板
１７ａ  立上り部
１８  左側板
１８ａ  立上り部
１９、２０、２１  折曲部
２２ａ、２２ｂ、２２ｃ  細溝
２３ａ、２３ｂ、２３ｃ  補強用リブ
２４  係止片
２５  突部（上面連結手段）
２６  ガイド溝（下面連結手段）
２６ａ  斜線部
２７  補強用リブ
２８  係止用突部
２９  開口部
３０  右内側板
３０ａ、３０ｂ  突片
３１  左内側板
３１ａ、３１ｂ  突片
３２、３３  折曲部
３４  マグカップ
３５  背面枠部
３５ａ、３５ｂ  突片
４１  マグカップの収納ケース
４２  天板
４３  突条部（上面連結手段）
４４  段差部
４５  突条部（上面連結手段）
４６  底板
４７  曲条部（下面連結手段）
４８  補強用リブ
【図１】
0003187258.tif 000003
【図２】
0003187258.tif 000004
【図３】
0003187258.tif 000005
【図４】
0003187258.tif 000006
【図５】
0003187258.tif 000007
【図６】
0003187258.tif 000008
【図７】
0003187258.tif 000009
【図８】
0003187258.tif 000010
【図９】
0003187258.tif 000011
【図１０】
0003187258.tif 000012
【図１１】
0003187258.tif 000013
【図１２】
0003187258.tif 000014
【図１３】
0003187258.tif 000015
【図１４】
0003187258.tif 000016
【図１５】
0003187258.tif 000017
【図１６】
0003187258.tif 000018
【図１７】
0003187258.tif 000019
【図１８】
0003187258.tif 000020
【図１９】
0003187258.tif 000021
【図２０】
0003187258.tif 000022